(57)【要約】【課題】電源遮断時にも動作するランプ交換扉のロック機構を提供する。【解決手段】光源装置内に収納された光源としてのランプと該ランプ冷却用のヒートシンクが格納されたカートリッジを、ランプ交換扉を開いて交換する内視鏡用の光源装置であって、カートリッジの一側面には、その一端が、ヒートシンクあるいはランプ自体と接触し、その他端が、ランプ交換扉の閉塞時に、該ランプ交換扉の内側に設けられたロック機構と接触する熱伝導部を設け、ロック機構内には、ランプの熱が熱伝導部を介して該ロック機構に伝わるのを感知し、該ロック機構の温度が所定の温度以上に達するとランプ交換扉をロックする温度感知・ロック手段が設けられている内視鏡用の光源装置を提供する。【選択図】図１
2010246646.tif 000002
【特許請求の範囲】
【請求項１】
光源装置内に収納された光源としてのハロゲンランプまたはキセノンランプと該ランプ冷却用のヒートシンクが格納されたカートリッジを、ランプ交換扉を開いて交換する内視鏡用の光源装置において、
前記カートリッジの一側面には、その一端が、前記ヒートシンクあるいは前記ランプ自体と接触し、その他端が、前記ランプ交換扉の閉塞時に、該ランプ交換扉の内側に設けられたロック機構と接触する熱伝導部を設け、
前記ロック機構内には、前記ランプの熱が前記熱伝導部を介して該ロック機構に伝わるのを感知し、該ロック機構の温度が所定の温度以上に達すると前記ランプ交換扉をロックする温度感知・ロック手段が設けられていることを特徴とする内視鏡用の光源装置。
【請求項２】
前記ロック機構は、中空の箱型あるいは筒型の筐体であり、該筐体内には、仕切り板を挟んでバイアスばねと形状記憶ばねが直列に設けられ、
前記ランプの熱が前記熱伝導部と前記筐体を介して前記形状記憶ばねに達し、
前記形状記憶ばねは、温度の上昇とともに前記仕切り板を介して前記バイアスばねの反発に逆らって伸長し、
前記所定の温度に対応した前記形状記憶ばねの伸長に応じて、前記ランプ交換扉のロック部材を作動させることを特徴とする請求項１に記載の内視鏡用の光源装置。
【請求項３】
前記ロック部材は、前記仕切り板の一側面に設けられた長軸部材であり、
前記長軸部材は前記バイアスばねを貫通して前記筐体から外方に突出可能であり、
前記形状記憶ばねの伸長に応じて前記筐体から突出し、前記光源装置自体あるいは前記光源装置内に設けられた係合部と係合して前記ランプ交換扉をロックすることを特徴とする請求項２に記載の内視鏡用の光源装置。
【請求項４】
前記筐体には、さらに前記形状記憶ばねの伸長量を調節する調整ねじが設けられていることを特徴とする請求項２または３に記載の内視鏡用の光源装置。
【請求項５】
前記ヒートシンクと前記熱伝導部と前記筐体は、同じ素材で形成されていることを特徴とする請求項２から４のいずれかに記載の内視鏡用の光源装置。
【請求項６】
前記所定の温度とは、作業者が前記カートリッジを安全に交換することができる温度であることを特徴とする請求項１から５のいずれかに記載の内視鏡用の光源装置。
【請求項７】
前記ロック機構は、断熱材を介して前記ランプ交換扉の内側に設けられることを特徴とする請求項１から６のいずれかに記載の内視鏡用の光源装置。
【請求項８】
前記ロック機構には、さらに前記温度感知・ロック手段と連動して、前記ランプ交換扉に設けられた観察窓を通して前記カートリッジを安全に交換することができることを知らせる表示手段が設けられていることを特徴とする請求項１から６のいずれかに記載の内視鏡用の光源装置。
【請求項９】
前記表示手段は、前記筐体の一面に長手方向に設けられたスリットと、前記仕切り板の一端に設けられ、該スリットを介して該筐体の外に突出する支え棒と、該支え棒の突出部に取り付けられ、前記観察窓から動きを観察可能な表示板と、からなることを特徴とする請求項８に記載の内視鏡用の光源装置。
【請求項１０】
前記表示板は、作業者が前記カートリッジを安全に交換することができる温度を示す色とそうでない温度を示す色に色分けされていることを特徴とする請求項９に記載の内視鏡用の光源装置。
【発明の詳細な説明】
【技術分野】
【０００１】
本発明は、光源装置の開閉部に関し、より詳しくは、内視鏡用の光源装置のランプ交換扉におけるロック機構に関する。
【背景技術】
【０００２】
内視鏡装置において、生体内を照明する光源装置として、ハロゲンランプやキセノンランプ等の光源用ランプが光源装置内に設けられている。光源用ランプは発熱量が非常に大きいため、光源用ランプをヒートシンクで支持し、冷却ファンによって外気を取り込み、光源用ランプおよびヒートシンクに外気を当てて空冷している。ランプ交換を行う際に、発熱したランプに手が触れてしまう場合の対策として、ランプ本体およびヒートシンクを断熱材料からなるカートリッジに格納することによって、作業者に対する交換時の安全性を確保していた。
【０００３】
また、特許文献１のように、光源用ランプが所定の温度まで冷却されないうちはランプ交換ができないようにして、ランプ交換を安全に行うことができる内視鏡用の光源装置が提案されている。この装置では、ランプの温度が所定の温度より高いときはランプ交換扉が開閉できないようにするロック機構が設けられており、高温であることを伝える警告灯を点灯させる。
【先行技術文献】
【特許文献】
【０００４】
【特許文献１】特開２００６−３３３８７９号公報
【発明の概要】
【発明が解決しようとする課題】
【０００５】
しかし、上記のような構造では、ランプの発熱がピークに達しているときは、カートリッジも高温になるおそれがある。また、発熱したヒートシンク部は冷却のために露出させておく必要があるため、カートリッジでヒートシンク全体を覆うことはできず、作業者が高温のヒートシンクに触れてしまうおそれがある。そして、従来のランプ交換扉のロック機構では、ロック部材が光源装置内の温度変化に応じた熱膨張および熱収縮により伸縮するため、ロック部材が高温から低温に至るまでを自然放熱に依存しなければならず、ロックが解除されるまでに相当の時間を要する。また、ロック機構にソレノイドを用いたり警告灯を用いたりする場合は動作に電力を必要とするため、不意に停電が発生したり放熱中に電源を切ったりする等、電源が遮断されてしまうとソレノイドや警告灯が動作しなくなってロック機構が正常に機能しなくなったり温度状況の判断が困難になったりする。
【０００６】
本発明は上記の事情に鑑みてなされたものである。本発明の目的は、光源ランプの冷却状態を適切に把握することができ、温度の検出に電力を用いないため電源遮断による動作不良や動作不全を懸念せずに利用できるランプ交換扉のロック機構を提供することである。
【課題を解決するための手段】
【０００７】
本発明の一実施形態によれば、光源装置内に収納された光源としてのランプと該ランプ冷却用のヒートシンクが格納されたカートリッジを、ランプ交換扉を開いて交換する内視鏡用の光源装置において、カートリッジの一側面には、その一端が、ヒートシンクあるいはランプ自体と接触し、その他端が、ランプ交換扉の閉塞時に、該ランプ交換扉の内側に設けられたロック機構と接触する熱伝導部を設け、ロック機構内には、ランプの熱が熱伝導部を介して該ロック機構に伝わるのを感知し、該ロック機構の温度が所定の温度以上に達するとランプ交換扉をロックする温度感知・ロック手段が設けられている。
【０００８】
本発明の別の実施形態によれば、ロック機構は、中空の箱型あるいは筒型の筐体であり、該筐体内には、仕切り板を挟んでバイアスばねと形状記憶ばねが直列に設けられ、ランプの熱が熱伝導部と筐体を介して形状記憶ばねに達し、形状記憶ばねは、温度の上昇とともに仕切り板を介してバイアスばねの反発に逆らって伸長し、所定の温度に対応した形状記憶ばねの伸長に応じて、ランプ交換扉のロック部材を作動させる。このため、ランプの温度が高いときはランプ交換扉がロックして、安全にランプを交換することができる温度までランプが冷却されるまではランプ交換扉を開くことができないようにすることができる。
【０００９】
本発明のさらに別の実施形態によれば、ロック部材は、仕切り板の一側面に設けられた長軸部材であり、長軸部材はバイアスばねを貫通して筐体から外方に突出可能であり、形状記憶ばねの伸長に応じて筐体から突出し、光源装置自体あるいは光源装置内に設けられた係合部と係合してランプ交換扉をロックする。また、筐体には、さらに形状記憶ばねの伸長量を調節する調整ねじが設けられている。これにより、ランプの構成によって温度特性が異なる場合でも長軸部材によるランプ交換扉のロック機構が適切な温度で動作するように、形状記憶ばねの長さを調節することができる。
【００１０】
好ましくは、ヒートシンクと熱伝導部と筐体は同じ素材で形成されている。また、所定の温度とは、作業者がカートリッジを安全に交換することができる温度である。さらに、ロック機構は、断熱材を介してランプ交換扉の内側に設けられる。したがって、筐体を熱伝導部に押し当てることでランプの発熱を確実に筐体ひいては形状記憶ばねに伝えたり、ランプの発熱をより正確に伝えたりすることで、ランプ交換扉のロック機構の動作精度を向上させることができる。
【００１１】
本発明のさらに別の実施形態によれば、ロック機構には、さらに温度感知・ロック手段と連動して、ランプ交換扉に設けられた観察窓を通してカートリッジを安全に交換することができることを知らせる表示手段が設けられている。このため、ランプ交換扉に触れることなくランプの冷却状況を把握して適切なタイミングでランプ交換を行うことができる。
【００１２】
好ましくは、表示手段は、筐体の一面に長手方向に設けられたスリットと、仕切り板の一端に設けられ、該スリットを介して該筐体の外に突出する支え棒と、該支え棒の突出部に取り付けられ、観察窓から動きを観察可能な表示板とからなる。さらに好ましくは、表示板は、作業者がカートリッジを安全に交換することができる温度を示す色とそうでない温度を示す色に色分けされている。
【発明の効果】
【００１３】
本発明のロック機構によれば、消灯直後等のランプが発熱している状態でランプ交換を行う際に、確認のためまたは誤って発熱したランプに直接手で触れるリスクを低減することができる。また、ランプの冷却に必要な放熱時間を適切に把握することができる。そして、電力を使用せずにロック機構を動作させることができるため、光源装置に電源が供給されないような事態が発生した場合でもロック機構を正常に機能させることができる。
【図面の簡単な説明】
【００１４】
【図１】本発明の一実施形態における光源装置を示す概略図である。
【図２】本発明の一実施形態におけるランプのカートリッジおよびロック機構を示す概略断面図である。
【図３】本発明の一実施形態におけるランプ交換扉の開閉状態を示す概略図である。
【図４】本発明の一実施形態におけるロック機構を示す概略図である。
【図５】本発明の一実施形態におけるロック機構の動作を示す概略図である。
【図６】本発明の一実施形態におけるロック機構の動作を示す概略図である。
【図７】本発明の他の実施形態におけるロック機構を示す概略図である。
【発明を実施するための形態】
【００１５】
以下、図面を参照して、本発明の実施形態におけるロック機構について説明する。なお、複数の図にまたがって同じ部材を示す場合は同じ番号を付すこととする。
【００１６】
図１は、本発明の実施形態におけるロック機構を用いる光源装置の概略を示す。箱状のカートリッジ３には、光源として用いるハロゲンランプやキセノンランプ（図示せず）およびランプ冷却用のヒートシンク４が格納されている。また、カートリッジ３の一側面には、帯状の熱伝導部５が設けられている。なお、熱伝導部５は任意の形状にすることができる。熱伝導部５はヒートシンク４と同一の素材からなり、図２に示すように、ヒートシンク４あるいはランプ自体と接触している。このため、ランプ自体あるいはヒートシンク４と熱伝導部５との間の熱平衡によりランプあるいはヒートシンク４の温度と熱伝導部５の温度が略同一になる。カートリッジ３は、光源装置１に設けられているランプ交換口１ａから光源装置１内のカートリッジ把持部２に着脱可能に取り付けられる。カートリッジ把持部２は、この実施形態においては、棒状の弾性部材を折り曲げてカートリッジ３を保持する矩形部と、その両端から延びて光源装置１内に固定される脚部とからなる一対の把持部から構成され、カートリッジ３は、この把持部間に挟まれ、矩形部の弾性によって把持固定される。なお、カートリッジ把持部２は、このような構成に限定されない。
【００１７】
ランプ交換口１ａは、ランプ交換扉８によって開閉される。ランプ交換扉８の内側にはロック機構６が設けられている。ロック機構６は、弾性を有する耐熱性の断熱材７を介してランプ交換扉８に接着されている。したがって、ランプ交換扉８を閉じると、ロック機構６がカートリッジ３に押し当てられてカートリッジ３の熱伝導部５と確実に接触する状態になる。その状態の概略を図２に示す。図に示すように、熱伝導部５がヒートシンク４およびロック機構６とそれぞれ接触するため、ヒートシンク４と熱伝導部５とロック機構６が互いに熱平衡状態となってこれらの部材の温度が略同一になる。断熱材７は、ヒートシンク４がランプの発熱を受けて高温になっているときに、ロック機構６から熱がランプ交換扉８や光源装置本体に伝導することを防止する効果を有する。なお、ヒートシンク４の温度変化を正確に反映するためにもロック機構６はヒートシンク４と同一の素材からなることが好ましいが、熱伝導性の高い部材としてもよい。
【００１８】
図３は、ランプ交換扉８の開閉状態の概略を示す。ランプ交換扉８は、ランプ交換扉８の下端部をランプ交換口１ａの下端に嵌め入れて開閉し、ランプ交換扉８の上端中央に設けられたねじ９を、光源装置１のランプ交換口１ａの上端中央に設けられたねじ穴に螺合させることによって光源装置１に係止される。ランプ交換扉８にはスリット状の観察窓１０が設けられており、観察窓１０からロック機構の表示板を確認することができる。観察窓１０には、外部から異物が侵入しないように耐熱ガラスが嵌め込まれている。なお、ランプ交換口１ａの下端にランプ交換扉８との係合部材を設け、ランプ交換扉８がこの係合部材と着脱可能に接続するようにしてもよいし、ランプ交換扉８を蝶番式に開閉するようにしてもよい。
【００１９】
図４（ａ），（ｂ）は、ロック機構６の構成の概略を示す。ロック機構６は箱型または筒型の形状である筐体４０を有する。筐体４０の内部には、形状記憶ばね４１と通常のばねであるバイアスばね４２が直列に挿入されており、各ばねは仕切り板４３を介して互いを押し合うように設けられている。仕切り板４３は、その一側面中央に外径がバイアスばね４２の内径より小さい円柱形状の長軸部材４４を有しており、この長軸部材４４は、バイアスばね４２内を貫通して筐体４０から外方に突出可能である。また、筐体４０の上面には後述する仕切り板の動作範囲に対応した長さを有する長手方向に延びるスリット４６が設けられている。そして、仕切り板４３の上端には支え棒４８が設けられ、該支え棒４８は、スリット４６を介して筐体４０から上方に突出し、該支え棒４８の突出した部分には表示板４７が接合され、従って、仕切り板４３の動作に応じて表示板４７も移動する。また、該表示板４７は、観察窓１０に臨んでいる。
【００２０】
表示板４７には、２種類の着色が施されており、カートリッジ交換を行う作業者は、仕切り板４３の移動に応じて観察窓１０から表示板４７の色を確認することができる。表示板４７は、ヒートシンク４の温度を示す指標となるものであり、例えば赤色と緑色の２色で塗り分けておき、ヒートシンク４が高温でカートリッジ交換を行うには安全ではない状態を赤色で示し、ヒートシンク４が冷却されてカートリッジ交換を行うのに安全な温度である状態を緑色で示すこととする。なお、表示板４７には、３種類以上の色で色分けしてもよいし、グラデーションを用いた着色を施してもよい。
【００２１】
形状記憶ばね４１は、変態点以上の温度まで加熱されると筐体４０の長手方向に伸びて仕切り板４３を介してバイアスばね４２を押し縮めるため、仕切り板４３が左側に移動する。また、変態点以下の温度まで冷却されると逆に縮むため、仕切り板４３はバイアスばね４２に押されて右側に移動する。
【００２２】
長軸部材４４は、円形の開口部４９を通って筐体４０の外側に突き出るように設けられている。開口部４９の直径は、長軸部材４４の外径よりも大きく、かつバイアスばね４２の内径よりも小さくする。仕切り板４３は、形状記憶ばね４１とバイアスばね４２の反発力を受けながらこれら２つのばねが延び縮みする長さの範囲内において筐体４０の長手方向に移動する。そして、長軸部材４４が仕切り板４３の移動に合わせて、筐体４０から突き出るように移動したり筐体４０内に引っ込むように移動したりする。長軸部材４４が筐体４０から突き出ると、ランプ交換扉８を開こうとする際に長軸部材４４が光源装置内１の本体側あるいは本体側に設けられた係合部（図示せず）に引っ掛かるため、ランプ交換扉８が開かないように防止することができる。なお、長軸部材４４の形状は多角柱等、任意の形状にすることができ、その形状に合わせて開口部４９の形状も変えることができる。
【００２３】
筐体４０において、長軸部材４４が筐体４０から突き出る面と対向する反対の面には、調整ねじ４５が設けられている。該調整ねじ４５は、外部から回動操作可能であり、調整ねじ４５の回動操作により該調整ねじ４５の端面の位置を変更することができる。例えば、ある特定の温度において観察窓１０から確認できる表示板４７の色が緑色である場合、調整ねじ４５を締めることで形状記憶ばね４１を介して仕切り板４３を左側に移動して観察窓１０から確認できる表示板４７の色を赤色に変えることができる。
【００２４】
形状記憶ばね４１は、一端が調整ねじ４５に固定されており、他端は仕切り板４３に設けられた形状記憶ばね４１を受ける凹部（図示せず）に当接しているため、筐体４０内で垂直方向にずれない。また、バイアスばね４２は、一端が筐体４０に設けられたバイアスばね４２を受ける凹部（図示せず）に当接し、かつ他端が仕切り板４３に設けられたバイアスばね４２を受ける凹部（図示せず）に当接しているため、筐体４０内で垂直方向にずれない。なお、バイアスばね４２の両端は、筐体４０および仕切り板４３の凹部にそれぞれ固定してもよい。
【００２５】
次に、ロック機構６の動作について、調整ねじ４５の位置の違いによる温度判定を踏まえながら説明する。なお、ロック機構６は、観察窓１０から確認できる表示板４７の色が緑色から赤色に切り替わると同時に、長軸部材４４がランプ交換扉８の開閉を阻害するように設定されているものとする。
【００２６】
図５に示すように、調整ねじ４５を限界近くまで緩めた場合を考える。カートリッジ３をカートリッジ把持部２に装着してランプ交換扉８を閉じる。ロック機構６は、ランプを点灯する前（すなわち、ランプが冷却状態のとき）は、図５（ａ）に示すように形状記憶ばね４１が縮み切った状態になっている。また、このとき観察窓１０から確認できる表示板４７の色は緑色であり、長軸部材４４はランプ交換扉８の開閉を阻害しない位置にあるため、ランプ交換扉８を自由に開閉することができる。次にランプを点灯すると、ランプの発熱がヒートシンク４から熱伝導部５を介してロック機構６の筐体４０に伝わり、形状記憶ばね４１に達する。したがって、形状記憶ばね４１は、ランプの発熱とともに温度が上昇し変態点以上になると、仕切り板４３を介してバイアスばね４２の反発に逆らって伸びる。このとき、図５（ｂ）に示すように、仕切り板４３が左側に移動して長軸部材４４が筐体４０から突き出て、ランプ交換扉８を開こうとすると、長軸部材４４の突き出た部分が、光源装置１の本体側に当たるあるいは、本体側に設けられた係合部と係合する状態になる。さらにランプが発熱し続けて形状記憶ばね４１の温度が上昇すると、形状記憶ばね４１が伸びて仕切り板４３をさらに左側に移動させるとともに長軸部材４４が筐体４０からさらに突き出た状態になる。このときロック機構６は図５（ｃ）に示すような状態になり、依然として長軸部材４４がランプ交換扉８の開閉を阻害する。その後、ランプの発熱が続いて形状記憶ばね４１の温度が上昇しても、バイアスばね４２が縮み切っているためロック機構６は図５（ｃ）に示す状態のままになる。
【００２７】
そして、ランプを消灯するとランプの温度が低下するとともに形状記憶ばね４１の温度も低下し、ロック機構６は図５（ｃ）に示す状態から図５（ａ）に示す状態へと遷移する。観察窓１０から確認できる表示板４７の色が赤色から緑色に切り替わると同時に、長軸部材４４全体が筐体４０内に収容されてランプ交換扉８の開閉を阻害しない状態になるため、ランプ交換を行う作業者は観察窓１０から表示板４７が緑色であることを確認した上で、ランプ交換扉８を開いて安全にカートリッジ３をカートリッジ把持部２から取り外すことができる。
【００２８】
次に、図６に示すように、調整ねじ４５を限界近くまで締め込んだ場合を考える。ランプを点灯する前（すなわち、ランプが冷却状態のとき）は、調整ねじ４５を限界近くまで緩めた場合と同様、図６（ａ）に示すように形状記憶ばね４１は仕切り板４３を介してバイアスばね４２によって縮み切った状態が維持される。このとき観察窓１０から確認できる表示板４７の色は緑色であり、長軸部材４４はランプ交換扉８の開閉を阻害しない位置にあるため、ランプ交換扉８を自由に開閉することができる。ランプ交換扉８を閉じてランプを点灯すると、ランプの発熱に応じて形状記憶ばね４１の温度が上昇し、変態点以上になると形状記憶ばね４１が伸び始める。図６（ｂ）に示す状態になるまで形状記憶ばね４１が伸びたとき、観察窓１０から確認できる表示板４７の色はまだ緑色であるため、この状態でもランプ交換扉８を開くことができる。そして、さらにランプの温度が上昇して形状記憶ばね４１の温度も上昇すると、形状記憶ばね４１が伸び続けて仕切り板４３を左側に移動させるとともに長軸部材４４が筐体４０から突き出た状態になる。このときロック機構６は図６（ｃ）に示すような状態になり、長軸部材４４がランプ交換扉８の開閉を阻害する。このように、調整ねじ４５の締め付けあるいは緩めを調整することにより、ランプ取り出しの安全域と危険域の調整を図ることができる。
【００２９】
ランプを消灯してランプの温度が低下すると、形状記憶ばね４１の温度も低下して、ロック機構６は図６（ｃ）に示す状態から図６（ａ）に示す状態へと遷移する。そして、図６（ｂ）に示すように観察窓１０から確認できる表示板４７の色が赤色から緑色に切り替わると同時に、ランプ交換扉８を開閉することができるようになる。
【００３０】
図６（ａ）に示す状態では、長軸部材４４全体が筐体４０内に収容されているが、仕切り板４３が左側に移動して長軸部材４４が筐体４０の外に突き出る際に、長軸部材４４の先端が中心軸からずれて開口部の縁に当たる場合に備えて、図７（ａ）に示すように開口部の縁に窪みを形成して長軸部材４４の先端が開口部に誘導されるようにしてもよい。なお、この窪みの代わりに傾斜部等の種々の形状の誘導部を設けることができる。さらに長軸部材４４の先端を丸める加工を施すことで開口部への誘導がより容易になる。また、図７（ｂ）に示すように、開口部の縁から筐体４０内に延びる円筒部材を設けてもよい。円筒部材の長手方向の長さは、図６（ａ）のように仕切り板４３から開口部４９までの距離が最大になる場合でも円筒部材が長軸部材４４の一部を覆い、かつバイアスばね４２が縮み切って仕切り板４３から開口部４９までの距離が最小になる場合でも円筒部材の端部が仕切り板４３に当接しない長さにする。このような円筒部材を設けることで、長軸部材４４を筐体４０の外部に確実に誘導しつつ正確な温度を観察窓１０から表示することができる。
【００３１】
また、仕切り板４３が筐体４０の長手方向に正しく移動するように、スリット４６の縁にガイドレールやスライドレール等を設けて仕切り板４３の移動を補助することもできる。
【００３２】
以上のように、本発明のロック機構を用いることで、ランプ消灯後に確認のため、または誤って発熱したランプやカートリッジに直接手で触れるリスクが低減される。また、ランプを冷却するために放置しておく時間を適切に確保するための判断が容易になる。さらに、電源が遮断される状況においても動作不良や動作不全を引き起こすことなくロック機構を正常に動作させることができる。そして、調整ねじを用いることにより、形状記憶ばねがある特定の長さであるときにロック機能が動作した状態にすることも解除された状態にすることもできるため、ランプやヒートシンクの構成に応じて温度特性が異なるカートリッジを用いる場合にもロック機構を交換することなくランプ交換扉の開閉を制御することができる。
【符号の説明】
【００３３】
３    カートリッジ
５    熱伝導部
６    ロック機構
７    断熱材
８    ランプ交換扉
１０    観察窓
４０    筐体
４１    形状記憶ばね
４２    バイアスばね
４３    仕切り板
４４    長軸部材（ロック部材）
４５    調整ねじ
４７    表示板
４９    開口部
【図１】
2010246646.tif 000003
【図２】
2010246646.tif 000004
【図３】
2010246646.tif 000005
【図４】
2010246646.tif 000006
【図５】
2010246646.tif 000007
【図６】
2010246646.tif 000008
【図７】
2010246646.tif 000009